【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】
引金の操作により平板状遊技子を加撃して空中に該平板状遊技子を発射するゲーム機用平板状遊技発射装置であって、
平板状遊技子の平面を略水平にした状態で該平板状遊技子を装入する遊技子装入口と、
前記遊技子装入口から下方へ傾斜し、前記装入された複数の平板状遊技子を直列に収納する遊技子通路と、
前記収納された平板状遊技子を前記遊技子装入口に向って略鉛直に受け止める受止め部と、
前記引金の操作に連動して、前記受止め部最寄り平板状遊技子を揺動して起立させるとともに、
前記遊技子通路内で該平板状遊技子に受止められた次位平板状遊技子を係止する揺動係止部と、
前記引金の操作に連動して、前記起立した平板状遊技子の端面を加撃する加撃部と、
を備えることを特徴とするゲーム機用平板状遊技子発射装置。
【請求項２】
前記揺動係止部は、前記加撃した後、前記次位平板状遊技子の係止を解除して、
該次位平板状遊技子を前記受止め部へ誘導させること
を特徴とする請求項１記載のゲーム機用平板状遊技子発射装置。
【請求項３】
前記揺動係止部の先端は、
該揺動係止部の揺動軸を中心とする略円弧状面に形成されるとともに、
該揺動係止部の先端上部は前記受止め部最寄り平板状遊技子の下面に当接しうるように形成されていることを
特徴とする請求項２記載のゲーム機用平板状遊技子発射装置。
【請求項４】
前記揺動係止部の先端上部に隣接して、
前記受止め部最寄り平板状遊技子の下面に弾性的に当接しうる弾性部材が設けられたこと
を特徴とする請求項３記載のゲーム機用平板状遊技子発射装置。
【請求項５】
請求項１ないし請求項４いずれか記載のゲーム機用平板状遊技子発射装置から発射された平板状遊技子が、
目標ポットに投入されたことを検出し、
前記投入に成功した場合、複数の平板状遊技子を払い出し口から排出するゲーム機。
【手続補正２】
【補正対象書類名】明細書
【補正対象項目名】０００６
【補正方法】変更
【補正の内容】
【０００６】
【課題を解決するための手段および効果】
本出願発明は、このような不具合を解消したゲーム機用平板状遊技子発射方法および発射装置の改良に係り、請求項１記載の発明は、平板状遊技子の平面に略沿い該平板状遊技子の周縁を加撃して空中に該平板状遊技子を発射することを特徴とするものである。
【手続補正３】
【補正対象書類名】明細書
【補正対象項目名】０００７
【補正方法】変更
【補正の内容】
【０００７】
請求項１の発明は、前記したように構成されているため、前記平板状遊技子の発射時における平面に沿い、該平板状遊戯子を空中に加撃毎に１枚ずつ発射することができる。
また、実物の拳銃、小銃、大砲を発射する場合の引金の発射操作と同様な発射感覚をプレーヤーに与えることができる。
さらに、何等の遊技子移送手段を必要とせずに、前記平板状遊技子収納手段に直列に収納された複数枚の平板状遊技子を加撃部による平板状遊技子の発射の都度、該加撃部に向って自動的に移送することができる。
さらにまた、前記平板状遊技子の平面を、その発射方向に対し直交する水平方向に沿わせて該平板状遊技子中に発射することができる。そして、この状態で前記平板状遊技子を発射させれば、上下飛行方向を安定させた状態で該平板状遊技子の上下面に働く空気力によって、空中を遠く飛翔させることができる。
さらに前記遊技子通路の平面に対し交叉した方向に向けて発射することができる。
【手続補正４】
【補正対象書類名】明細書
【補正対象項目名】０００８
【補正方法】変更
【補正の内容】
【０００８】
また、請求項２記載のように発明を構成することにより、前記遊技子通路内に順次直列に複数収納された前記平板状遊技子の内、前記加撃部最寄り平板状遊技子を除いた残りの他の平板状遊技子を、前記揺動係止部でもって係止し、該加撃部最寄り平板状遊技子のみを前記加撃部でもって発射することができ、次々と前記平板状遊技子を１枚ずつ空中に発射することができる。
【手続補正５】
【補正対象書類名】明細書
【補正対象項目名】０００９
【補正方法】変更
【補正の内容】
【０００９】
さらに、請求項３記載のように発明を構成することにより、前記平板状遊技子収納手段内の平板状遊技子の平面に対し交叉した方向に向けて、該平板状遊技子を空中に向けて発射することができる。
【手続補正６】
【補正対象書類名】明細書
【補正対象項目名】００１０
【補正方法】変更
【補正の内容】
【００１０】
さらにまた、請求項４記載のように発明を構成することにより、前記受止め部によって発射位置に受止められた平板状遊技子の下面に前記揺動係止部の先端を当接させる際に、該揺動係止部の先端上部に隣接して設けられた弾性部材でもって発射位置の平板状遊技子下面を弾性的に当接させることができるため、前記加撃機構による攻撃力を減殺せずに前記平板状遊技子を安定して保持することができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００４１
【補正方法】変更
【補正の内容】
【００４１】
また、図５および図６１に図示されるように、銃床31の上部31ａの先端下面の右側（図６１では左側）にブラケット42が一体に装着され、該ブラケット42の鉛直部42ａの枢支孔42ｂを貫通するピン43を介して揺動係止部材44の基部44ｃが揺動自在に枢着され、該揺動係止部材44の先端部44ａの内側面に押え板バネ45が一体に装着され、図５５に図示されるように、該押え板バネ45の当接部45ａは揺動係止部材44の先端部44ａより僅かに当接方向に突出されており、図７に図示されるように、揺動係止部材44がピン43を中心に起立してメダル１がメダル受止め金具39と揺動係止部材44とに挟持される際に、押え板バネ45がメダル１に弾性的に圧接され、後記加撃片48の加撃の際にメダル１が円滑に加撃方向へ移動できるようになっている。